(57)【要約】  【課題】組立および配線作業が容易で断線等の事故がなく品質的に安定した電装部を提供する。  【解決手段】電装基板１２ａ、１２ｂを収納する上面が解放された電装基板収納ケース１３を板金からなる上面が解放された電装品箱に収納し、上面から電装品蓋を被せるようにしてなり、電装基板１２ａ、１２ｂ間に高電圧系の配線１６ａと低電圧系の配線１６ｂとの２系統の配線を有する電装部において、電装基板収納ケース１３の側壁１３ａの内側に隔壁１３ｂを設けて配線経路１３ｃを形成し、前記２系統の配線のうち一方の配線１６ｂを他の配線１６ａから離し、配線経路１３ｃに収めて保持する。また、隔壁１３ｂに電装基板１２ａを押さえる基板押さえ部１３ｅを一体に形成した構成とする。【選択図】図３
2005090773.tif 000002
【特許請求の範囲】
【請求項１】
電装基板と、同電装基板を収納した電装基板収納ケース内に、複数の配線系統を備える電装部において、
前記電装基板収納ケースの側壁の内側に、隔壁を設けて配線経路を形成し、同配線経路に複数の前記配線系統のうち少なくとも一方の配線を収容するようにしてなることを特徴とする電装部。
【請求項２】
前記隔壁に、前記電装基板を押さえる基板押さえ部を一体に形成してなることを特徴とする請求項１記載の電装部。
【請求項３】
前記配線経路を形成する前記側壁と前記隔壁の少なくとも一方に、前記配線経路内の配線の飛び出しを防止するストッパ部を設けてなることを特徴とする請求項１記載の電装部。
【発明の詳細な説明】
【技術分野】
【０００１】
本発明は、空気調和機の室外機等に用いる電装部に係わり、詳しくは、その構造に関する。
【背景技術】
【０００２】
空気調和機の室外機においては、その本体が例えば図１に示すような底板（ベース）１と、外胴からなり、この外胴は左側板２ａが一体に形成された前面カバー２と、Ｌ字状に形成された右側板３と、上面カバー４とからなり、右側板３には本体内部の保守点検等を行う際に利用する開口部３ａが形成され、同開口部３ａには蓋体３ｂが被着されている。  
【０００３】
本体内は底板１上に立設された仕切板５によって熱交換室６と機械室７とに区画され、熱交換室６には熱交換器８と、同熱交換器８により熱交換された空気を外部に送出する送風ファン９が配置され、一方の機械室７にはその下部に圧縮機１０が配置され、その上方に圧縮機１０および送風ファン（送風機）９等の運転制御を行う電装品を収めた電装部１１が配置されている。
【０００４】
電装部１１は、例えば図２に示すように、樹脂材からなり電装基板１２ａ、１２ｂを収納する上面が解放された電装基板収納ケース１３と、板金からなり電装基板収納ケース１３を収容保持する上面が解放された電装品箱１４と、電装基板収納ケース１３の上面から被せられる箱状の電装品蓋１５とからなり、電装基板１２ａ、１２ｂ間は電力を伝達する高電圧系配線（１００Ｖ又は２００Ｖの電源線）と制御信号等を伝達する低電圧系配線（５Ｖ又は１２Ｖの信号線）との２系統の配線で結ばれている。高電圧系配線と低電圧系配線は互いに区分し、配線系統毎に例えば図６に示すような細いベルト状の結束部材２１を用いて結束し、両系統の配線が互いに近接しないように配置して高電圧系配線から低電圧系配線へのノイズの影響を軽減するとともに、他部品との干渉による断線事故等の発生を防止するようになっている。なお、これと類似したものとしては（例えば、特許文献１参照）がある。
【０００５】
しかしながら、結束部材２１を用いて両系統の配線が互いに近接しないように配置するには多数の結束部材を必要とし、結束および配置に手間がかかるだけでなく、結束位置にバラツキが生ずることもあり、配線状態が必ずしも一定しないという課題があった。
【特許文献１】特開平８ー２８５３３１号公報（第３頁、図２）
【発明の開示】
【発明が解決しようとする課題】
【０００６】
本発明は上記問題点に鑑み、組立および配線作業が容易で断線等の事故もなく品質的に安定した電装部を提供することを目的としている。
【課題を解決するための手段】
【０００７】
本発明は上記課題を解決するため、電装基板と、同電装基板を収納した電装基板収納ケース内に、複数の配線系統を備える電装部において、
前記電装基板収納ケースの側壁の内側に、隔壁を設けて配線経路を形成し、同配線経路に複数の前記配線系統のうち少なくとも一方の配線を収容するようにしてなる構成とする。
【０００８】
また、前記隔壁に前記電装基板を押さえる基板押さえ部を一体に形成してなる構成とする。
【０００９】
また、前記配線経路を形成する前記側壁と前記隔壁の少なくとも一方に、前記配線経路内の配線の飛び出しを防止するストッパ部を設けてなる構成とする。
【発明の効果】
【００１０】
本発明の構成からなる電装部であれば、電装基板収納ケースの側壁とこれに沿った隔壁間に形成された配線経路に高電圧系と低電圧系の２系統の配線の一方を収容できるので、配線状態が安定し、他の配線からのノイズの影響もなく品質的に安定したものとなり、また、隔壁には電装基板を押さえる基板押さえ部が形成されており、より簡単に組立られる電装部の提供を可能にしている。
【発明を実施するための最良の形態】
【００１１】
以下、本発明の実施の形態を、添付図面に基づいた実施例として詳細に説明する。
【実施例１】
【００１２】
図１は空気調和機の室外機の概略構成を示したもので、同室外機の本体は底板（ベースとも言う）１と、外胴からなり、この外胴は左側板２ａと連続して形成された前面カバー２と、Ｌ字状に形成された右側板３と、上面カバー４とからなり、右側板３には本体内部の保守点検等を行う際に利用する開口部３ａが形成され、同開口部３ａには蓋体３ｂが被着されている。
【００１３】
本体内は底板１上に立設された仕切板５によって熱交換室６と機械室７とに区画され、熱交換室６には熱交換器８と、同熱交換器８により熱交換された空気を外部に送出する送風ファン９が配置され、一方の機械室７にはその下部に圧縮機１０が配置され、その上方に圧縮機１０および送風ファン（送風機）９等の運転制御を行うための電装品を収めた電装部１１が配置されている。
【００１４】
電装部１１は、図２に示すように、樹脂材からなり電装基板１２ａ、１２ｂを収納する上面が解放された電装基板収納ケース１３と、板金からなり電装基板収納ケース１３を収容保持する上面が解放された電装品箱１４と、同じく板金からなり電装基板収納ケース１３の上面から被せられる電装品蓋１５とからなっており、電装基板収納ケース１３および電装品箱１４の右側壁に形成されている段差面にはそれぞれに電装基板１２ａからの配線（高電圧系配線）１６を取り出す配線取出口（図示省略）が設けられ、同取出口を有する電装品箱１４の右側壁の下部前方には前記配線１６と外部からの配線（図示されてない室内機からの渡り配線）を中継する中継端子盤１７および同配線を固定するためのクランプ１８等を取付ける取付板１９を斜めに設けた構成となっている。
【００１５】
図３は本発明の要部形態を拡大図示したもので、図４はその左前方内部をＡ方向から見た拡大図、図５は図３の右後方内部をＢ方向から見た拡大図である。
【００１６】
電装基板収納ケース１３には図３に示すような一組の電装基板１２ａ、１２ｂが収納されるが、これら両電装基板１２ａ、１２ｂ間は電力を伝達する高電圧系の配線（例えば、１００Ｖの電源線）１６ａと制御信号等を伝達する低電圧系の配線（例えば、５Ｖの信号線）１６ｂとの２系統の配線で結ばれ、また、電装基板１２ａの一側には先に説明した配線１６と送風機９へ電力を供給する配線１６ｃが接続されている。なお、図３の符号２０ａ、２０ｂ、２０ｃ、２０ｄは配線接続用のコネクタである。
【００１７】
一方、電装基板収納ケース１３においては、その側壁１３ａの内側の要所要所（配線１６ｂ、１６ｃ等の引き回しに利用する部位）に隔壁１３ｂ、１３ｂ’を設けて配線経路１３ｃ、１３ｃ’を形成し、Ｌ字状に形成された配線経路１３ｃには前記低電圧系の複数本の配線１６ｂを細いベルト状の結束部材２１でまとめて収容するようになっており、コネクタ２０ｃ近くの隔壁１３ｂには配線１６ｂの一端を通す切り通し部１３ｄが設けられ、また、同隔壁１３ｂの内側には電装基板１２ａを押さえる基板押さえ部１３ｅが一体に形成されている。
【００１８】
また、配線１６ｃを通すもう一つの配線経路１３ｃ’は、後方から見ると図５に示すような形態になっており、高電圧系の配線１６は隔壁１３ｂ’に形成された切り通し部１３ｄ’および電装基板収納ケース１３の段差部に設けられた配線取り出し部から外部に取り出される。側壁１３ａ’と隔壁１３ｂ’間には配線１６と配線１６ｃの近接を防止する仕切部１３ｆがあり、また、側壁１３ａ’の上部内方に配線１６ｃの飛び出しを防止する爪状のストッパ部１３ｇを設けた形態になっている。
【００１９】
以上説明したような構成であれば、結束部材を多用しなくてもバラツキの少ない配線形態にすることができるので組立の作業性および品質を向上させることができる。
【図面の簡単な説明】
【００２０】
【図１】本発明および従来例に係わる室外機の概略構成を示す斜視図である。
【図２】本発明および従来例に係わる電装部の概略構成を示す斜視図である。
【図３】本発明の実施例を示す電装部の要部拡大斜視図である。
【図４】図３のＡ方向から内部を見た要部拡大断面図である。
【図５】図３のＢ方向から内部を見た要部拡大断面図である。
【図６】配線の結束例を示す斜視図である。
【符号の説明】
【００２１】
１１  電装部
１２ａ  電装基板
１２ｂ  電装基板
１２ｃ  電装品
１３  電装基板収納ケース
１３ａ、１３ａ’  側壁
１３ｂ、１３ｂ’  隔壁
１３ｃ、１３ｃ’  配線経路
１３ｄ、１３ｄ’  切り通し部
１３ｅ  基板押さえ部
１３ｆ  仕切部
１３ｇ  ストッパ部
１４  電装品箱
１５  電装品蓋
１６、１６ａ、１６ｂ、１６ｃ  配線
２０ａ、２０ｂ、２０ｃ、２０ｄ  コネクタ
２１  結束部材
【図１】
2005090773.tif 000003
【図２】
2005090773.tif 000004
【図３】
2005090773.tif 000005
【図４】
2005090773.tif 000006
【図５】
2005090773.tif 000007
【図６】
2005090773.tif 000008